(57)【要約】【課題】  異なる形状、サイズのヘルメットに適用することが可能なヘルメットにおける保護板の取付装置を提供すること。【解決手段】  この発明のヘルメットにおける保護板の取付装置は、ヘルメットの下縁付近に環状に取り付けられる環状部２と、保護板３を保持し前記環状部２に対し回動可能に取り付けられる保護板保持部４からなり、前記環状部２は２組の半環状部２ａ，２ｂから構成されたものとしており、ヘルメットの前側、後側に位置する環状部２の２組の半環状部２ａ，２ｂの伸縮部５，６が伸縮することにより、異なる形状、サイズのヘルメットに適用することが可能となっている。【選択図】  図１
2005232620.tif 000002
【特許請求の範囲】
【請求項１】
ヘルメット（１）の下縁付近に環状に取り付けられる環状部（２）と、保護板（３）を保持し前記環状部（２）に対し回動可能に取り付けられる保護板保持部（４）からなり、前記環状部（２）は２組の半環状部（２ａ）（２ｂ）から構成されていることを特徴とするヘルメットにおける保護板の取付装置。
【請求項２】
各半環状部（２ａ）（２ｂ）を伸縮部（５）（６）の両端に保持片（７）（８）（９）（１０）を取り付けてなるものとし、ヘルメット（１）に取り付けた場合に、各半環状部（２ａ）（２ｂ）の伸縮部（５）（６）が自然状態より伸びた状態になってヘルメット（１）を締め付けるように、各保持片（７）（８）（９）（１０）の長さを調整している請求項１記載のヘルメットにおける保護板の取付装置。
【請求項３】
各半環状部（２ａ）（２ｂ）を伸縮部（５）（６）の両端に保持片（７）（８）（９）（１０）を取り付けてなるものとし、ヘルメット（１）に取り付けた場合に、各半環状部（２ａ）（２ｂ）の伸縮部（５）（６）が自然状態より伸びた状態になってヘルメット（１）を締め付けるように、各伸縮部（５）（６）の復元力を調整している請求項１又は２記載のヘルメットにおける保護板の取付装置。
【請求項４】
環状部（２）と保護板保持部（４）とが、ヘルメット（１）の左右側部に配置されるヘルメット保持具（１４）に取り付けられるものとした請求項１、２又は３記載のヘルメットにおける保護板の取付装置。
【請求項５】
ヘルメット保持具（１４）が、その上部に設けた圧着保持部（１５）でヘルメット（１）を圧着摩擦によって保持し、下端部に設けた把持部（１６）でヘルメット（１）を把持状に保持するようにしており、さらに圧着保持部（１５）と把持部（１６）との間に設けた孔（１９）を利用して半環状部（２ａ）（２ｂ）及び保護板保持部（４）を回動可能に取り付けている請求項４記載のヘルメットにおける保護板の取付装置。
【請求項６】
ヘルメット保持具（１４）が略釣り針形状である請求項４又は５記載のヘルメットにおける保護板の取付装置。
【請求項７】
保護板保持部（４）の略中央に、ヘルメット（１）の周縁部分に引っ掛けるための止め具（１３）を設けている請求項１、２、３、４、５又は６記載のヘルメットにおける保護板の取付装置。
【発明の詳細な説明】
【技術分野】
【０００１】
この発明は、ヘルメットに顔面を保護するための保護板を取り付けるための装置に関するものである。
【背景技術】
【０００２】
従来、作業時における粉塵や飛来物等からヘルメット使用者の顔面を保護するための保護板をヘルメットに取り付けるための機構として、半円状に湾曲した部に保護板を保持させ、当該部の両端をネジ等を使用してヘルメットの左右両側部に回動可能に取り付けるようにしたものがあった。
【０００３】
しかし、この機構では、使用しているうちにネジが緩み、固定状態が不安定になる上、ヘルメット側に前記部を取り付けるための手段を設ける必要があり、このような手段を設けていない別の既製のヘルメットに保護板を取り付けることはできなかった。
【０００４】
また、特許文献１に記載されているような、半円状に湾曲させた取付用主骨の両端に伸縮部（弾機）の両端を取り付け、さらに、取付用主骨の両端に回動可能に取り付けられ保護板を保持する移動骨からなる保護板の取付装置があった。これによれば、前記取付用主骨と伸縮部（弾機）を、それぞれヘルメットの前側、後側へ、ヘルメットの下縁付近に環状に取り付けることにより、保護板を取り付けるための手段を備えていない既製のヘルメットにも保護板を取り付けることが可能となっていた。
【０００５】
しかし、特許文献１記載の保護板の取付装置は、ヘルメットの前側に位置する前記取付用主骨が、変形も伸縮もできない構造であるため、別の異なる形状、サイズのヘルメットに適用することはできなかった。
【特許文献１】実公昭５４−３５７８５号公報
【発明の開示】
【発明が解決しようとする課題】
【０００６】
そこで、この発明は、異なる形状、サイズのヘルメットに適用することが可能なヘルメットにおける保護板の取付装置を提供することを課題とする。
【課題を解決するための手段】
【０００７】
前記課題を解決するため、この発明は次のような技術的手段を講じている。
【０００８】
この発明のヘルメットにおける保護板の取付装置は、ヘルメット１の下縁付近に環状に取り付けられる環状部２と、保護板３を保持し前記環状部２に対し回動可能に取り付けられる保護板保持部４からなり、前記環状部２は２組の半環状部２ａ，２ｂから構成されたものとしている。
【０００９】
各半環状部２ａ，２ｂを伸縮部５，６の両端に保持片７，８，９，１０を取り付けてなるものとし、ヘルメット１に取り付けた場合に、各半環状部２ａ，２ｂの伸縮部５，６が自然状態より伸びた状態になってヘルメット１を締め付けるように、各保持片７，８，９，１０の長さを調整したものとすることができる。
【００１０】
また、各半環状部２ａ，２ｂを伸縮部５，６の両端に保持片７，８，９，１０を取り付けてなるものとし、ヘルメット１に取り付けた場合に、各半環状部２ａ，２ｂの伸縮部５，６が自然状態より伸びた状態になってヘルメット１を締め付けるように、各伸縮部５，６の復元力を調整したものとすることができる。
【００１１】
環状部２と保護板保持部４とが、ヘルメット１の左右側部に配置されるヘルメット保持具１４に取り付けられるものとすることができる。
【００１２】
ヘルメット保持具１４が、その上部に設けた圧着保持部１５でヘルメット１を圧着摩擦によって保持し、下端部に設けた把持部１６でヘルメット１を把持状に保持するようにしており、さらに圧着保持部１５と把持部１６との間に設けた孔１９を利用して半環状部２ａ，２ｂ及び保護板保持部４を回動可能に取り付けたものとすることができる。
【００１３】
ヘルメット保持具１４は、略釣り針形状であるものとすることができる。
【００１４】
また、保護板保持部４の略中央に、ヘルメット１の周縁部分に引っ掛けるための止め具１３を設けたものとすることができる。
【発明の効果】
【００１５】
この発明のヘルメットにおける保護板の取付装置は、上述のような構成を有しており、ヘルメット１の前側、後側に位置する環状部２の２組の半環状部２ａ，２ｂの伸縮部５，６が伸縮することにより、異なる形状、サイズのヘルメット１に適用することが可能となっている。
【００１６】
各半環状部２ａ，２ｂを伸縮部５，６の両端に保持片７，８，９，１０を取り付けてなるものとし、各保持片７，８，９，１０の長さを調整したり、各伸縮部５，６の復元力を調整したりして、ヘルメット１に取り付けた場合に、各半環状部２ａ，２ｂの伸縮部５，６が自然状態より伸びた状態になってヘルメット１を締め付けるようにすることにより、各半環状部２ａ，２ｂのテンションを適宜設定し、ヘルメット１への装着性を向上させることができる。
【００１７】
環状部２と保護板保持部４とが、ヘルメット１の左右側部に配置されるヘルメット保持具１４に取り付けられるものとすることにより、ヘルメット１に確実に装着することが可能で、ヘルメット保持具１４は、その上部に設けた圧着保持部１５でヘルメット１を圧着摩擦によって保持し、下端部に設けた把持部１６でヘルメット１を把持状に保持するようにしており、さらに圧着保持部１５と把持部１６との間に設けた孔１９を利用して半環状部２ａ，２ｂ及び保護板保持部４を回動可能に取り付けたものとすることができ、また、ヘルメット保持具１４は略釣り針形状であるものとすることができる。
【００１８】
また、保護板保持部４の略中央に、ヘルメット１の周縁部分に引っ掛けるための止め具１３を設けたものとすれば、保護板３を使用者の顔の正面位置に保持することができる。
【発明を実施するための最良の形態】
【００１９】
以下、この発明の好適な実施形態を、図面を参照して説明する。
【００２０】
図１はこの発明の実施形態のヘルメットにおける保護板の取付装置の斜視図、図２はこの取付装置をヘルメット１に装着した場合の斜視図、図３はヘルメット保持具１４の縦断面図、図４は他の実施形態のヘルメット保持具１４の縦断面図である。
【００２１】
この発明のヘルメットにおける保護板の取付装置は、ヘルメット１の下縁付近に環状に取り付けられる環状部２と、前記環状部２に回動可能に取り付けられ保護板３を保持する保護板保持部４からなり、前記環状部２は２組の半環状部２ａ，２ｂから構成されているものとしている。
【００２２】
環状部２を構成する２組の半環状部２ａ，２ｂは、一方２ａがヘルメット１の前側、他方２ｂがヘルメット１の後側に位置して、ヘルメット１を締め付けるようにしている。各半環状部２ａ，２ｂは、いずれも伸縮部５，６の両端に保持片７，８，９，１０を取り付けてなるものとしている。各半環状部２ａ，２ｂは、それぞれの両端部にネジ孔が設けられており、このネジ孔にネジ１１を通すことにより連結され、互いに角度変更可能になっている。
【００２３】
伸縮部５，６はコイル状の引きバネとしており、長さ２０ｍｍ〜１２０ｍｍ、好ましくは５０ｍｍ〜１００ｍｍで、直径３ｍｍ〜１２ｍｍ、好ましくは５ｍｍ〜９ｍｍで、両端にはリング状等のフック機構を有している。伸縮部５，６は、ヘルメット１を傷つけないよう、塩化ビニルなどの軟質の透明ないし着色したチューブ状の被覆材１２で被覆することが望ましい。伸縮部５，６や被覆材１２は適宜の色彩を施したものとすることができる。
【００２４】
保持片７，８，９，１０は、アルミニウム、プラスチック等からなり、薄板状、フィルム状、棒状、針金状等とすることができる。アルミニウム製とすれば、強度や加工のしやすさ、ヘルメット１の形状への追従性に優れており好適である。
【００２５】
保持片７，８，９，１０は、長さ２０ｍｍ〜１３０ｍｍ、好ましくは４０ｍｍ〜１００ｍｍ、幅５ｍｍ〜４０ｍｍ、好ましくは８ｍｍ〜３０ｍｍで、一方の端部に伸縮部５，６に連結するための突起等のフック機構を有し、他方の端部にネジ１１を通すためのネジ孔を有している。
【００２６】
図示したものでは、一方の（ヘルメット１の前側に位置する）半環状部２ａにおける左右の保持片７と８は同じ寸法で、また、他方の（ヘルメット１の後側に位置する）半環状部２ｂにおいても左右の保持片９と１０は同じ寸法としている。一方の半環状部２ａの長さは、他方の半環状部２ｂの長さと同じないしより短いものとしており、環状部２をヘルメット１に取り付けると、伸縮部５，６が自然状態より若干伸びた状態になるようになっている。
【００２７】
一方の半環状部２ａの長さは７０ｍｍ〜１５０ｍｍ、好ましくは１００ｍｍ〜１３０ｍｍ、他方の半環状部２ｂの長さは７０ｍｍ〜１７０ｍｍ、好ましくは１００ｍｍ〜１５０ｍｍとするとよい。種々の寸法、タイプのヘルメット１に適用するためには、一方の半環状部２ａの長さが他方の半環状部２ｂの長さより０ｍｍ〜４０ｍｍ短いものとすることが望ましい。
【００２８】
このヘルメットにおける保護板の取付装置は、伸縮部５，６の復元力を異なるものとしたり、あるいは、一方の半環状部２ａと他方の半環状部２ｂの長さを異なるものとしたりすることにより、両半環状部２ａ，２ｂのテンションを調整することが可能で、これによって、前ひさし付き野球帽型、前ひさし付きリブ付き型、前ひさし付き溝付き型、ＭＰ型など様々な形状、寸法のヘルメット１に対し、より適切な装着状態が得られるようにすることができる。
【００２９】
例えば、ひさし付きヘルメットに装着する場合は、一方の半環状部２ａの伸縮部５の復元力を強く又は保持片７，８を短くし、他方の半環状部２ｂの伸縮部６の復元力を弱く又は保持片９，１０を長くするとよい。また、ＭＰ型のヘルメットに装着する場合は、一方の半環状部２ａの伸縮部５の復元力を弱く又は保持片７，８を長くし、他方の半環状部２ｂの伸縮部６の復元力を強く又は保持片９，１０を短くするとよい。
【００３０】
保護板保持部４は、保持片７，８，９，１０と同様の材料からなるもので、長さ３８０ｍｍ〜５００ｍｍ、好ましくは４２０ｍｍ〜４８０ｍｍ、幅は保持片７，８，９，１０と同様で、その前部の内側に保護板３をネジ、リベット、溶接、接着剤などの手段で取り付けて保持している。
【００３１】
保護板保持部４の両端部にはネジ孔が設けられており、このネジ孔を環状部２の外側から両半環状部２ａ，２ｂの前記ネジ孔に位置を合わせ、ネジ１１を通すことにより環状部２に連結され、角度変更可能になっている。
【００３２】
保護板保持部４の前部中央付近の内側にはＬ字状の止め具１３が設けられており、この止め具１３がヘルメット１の周縁部に引っ掛かり、保護板３が顔の正面位置に保持されるようになっている。
【００３３】
保護板３は、使用者の顔面全体や目の周辺など、保護すべき箇所を十分に覆うことができる大きさとしている。保護板３は、全面的に透明なプラスチック製の板やフィルムとしたり、目の周辺部分だけを透明なプラスチックとし、他の部分を打撃に強い金属やプラスチックとしたりすることができる。透明なプラスチックとしては、ポリカーボネートやアクリル樹脂を使用することができ、特にポリカーボネートは強靭で好適である。保護板３の形状は、Ｕ字状に湾曲した四角形状等とすることができるが、フラットな形状とすることもできる。
【００３４】
ヘルメット保持具１４は、ヘルメット１の左右両側部に対蹠的に設けられ、半環状部２ａ，２ｂと保護板保持部４とをネジ１１により固定するとともに、ヘルメット１の下縁部と側面とでヘルメット１を保持する構造となっている。左右のヘルメット保持具１４は同型、同サイズであることが望ましい。
【００３５】
ヘルメット保持具１４は保護板保持部４と同様の材料からなるもので、略釣り針形状で、その上部に設けた圧着保持部１５でヘルメット１を圧着摩擦によって保持し、下端部に設けた把持部１６でヘルメット１を把持状に保持するようにしており、さらに圧着保持部１５と把持部１６間のストレート部１７の一部に下端を残して四角形状に打ち抜き加工することにより外側にネジ取り付け部１８を設け、ストレート部１７とネジ取り付け部１８の間に半環状部２ａ，２ｂ及び保護板保持部４の各端部を位置させるようにし、ネジ取り付け部１８の中央付近に半環状部２ａ，２ｂ及び保護板保持部４をネジ固定するための孔１９を設けたものとしている（図３参照）。
【００３６】
前記孔１９は前記両半環状部２ａ，２ｂと保護板保持部４のネジ孔の位置に合わせ、内側からこれらの孔にネジ１１を貫通させ、外側から蝶ナット２０で締め付けるようにしている。
【００３７】
ヘルメット保持具１４は、図３に示したように圧着保持部１５が上方に延びた形状や、図４に示したように圧着保持部１５が下方に延びた形状とすることができる。図３、図４において、ａは２ｍｍ〜１５ｍｍ、好ましくは６ｍｍ〜１２ｍｍ、ｂは１ｍｍ〜５ｍｍ、好ましくは２ｍｍ〜４ｍｍ、ｃは８ｍｍ〜２０ｍｍ、好ましくは１０ｍｍ〜１８ｍｍ、ｄは１ｍｍ〜７ｍｍ、好ましくは２ｍｍ〜５ｍｍ、ｅは３ｍｍ〜１０ｍｍ、好ましくは４ｍｍ〜８ｍｍ、ｆは２０ｍｍ〜７０ｍｍ、好ましくは３０ｍｍ〜６０ｍｍ、ｇは１０ｍｍ〜６０ｍｍ、好ましくは２０ｍｍ〜５０ｍｍ、ｈは４ｍｍ〜２０ｍｍ、好ましくは８ｍｍ〜１６ｍｍ、ｉは１ｍｍ〜２０ｍｍ、好ましくは４ｍｍ〜１５ｍｍとするとよい。
【００３８】
また、ヘルメット保持具１４の横幅は、５ｍｍ〜６０ｍｍ、好ましくは１０ｍｍ〜５０ｍｍとするとよい。
【産業上の利用可能性】
【００３９】
作業時における粉塵や飛来物等からヘルメット使用者の顔面を保護するための保護板をヘルメットに取り付けるための装置として利用することが可能である。
【図面の簡単な説明】
【００４０】
【図１】この発明の実施形態のヘルメットにおける保護板の取付装置の斜視図である。
【図２】この取付装置をヘルメットに装着した場合の斜視図である。
【図３】ヘルメット保持具の縦断面図である。
【図４】この発明の他の実施形態のヘルメット保持具の縦断面図である。
【符号の説明】
【００４１】
１  ヘルメット
２  環状部
２ａ，２ｂ  半環状部
３  保護板
４  保護板保持部
５，６  伸縮部
７，８，９，１０  保持片
１３  止め具
１４  ヘルメット保持具
１５  圧着保持部
１６  把持部
【図１】
2005232620.tif 000003
【図２】
2005232620.tif 000004
【図３】
2005232620.tif 000005
【図４】
2005232620.tif 000006